(57)【特許請求の範囲】
【請求項１】
タブパネル（１２４）であって、前記タブパネルから延伸する少なくとも１つのタブ（１２６）を有し、コア（１１４）及び前記コアと隣接する表面板（１１０、１１２）を有する、タブパネル、
スロットパネル（１２０）であって、前記スロットパネル内に前記タブパネルの対応する前記タブを受け入れるための少なくとも１つのスロット（１２２）を有し、コア（１１４）及び前記コアと隣接する表面板（１１０、１１２）を有し、前記スロットは前記表面板及び前記コアの少なくとも一部分内に形成される、スロットパネル、及び
前記タブパネルと前記スロットパネルとの間に配置されるように構成されたクリップ（１０６、２００、３００、４００）であって、前記スロット内に少なくとも部分的に受け入れられ、前記タブパネルに固定されるタブパネル固定部材（１４２、２１２、３１６、４０６）を有し、前記スロットパネルに固定されるスロットパネル固定部材（１４０、２１０、３１４、４０４）を有し、前記タブパネルを前記スロットパネルにしっかりと接合する、クリップを備える、パネルシステム（１００、４５０）。
【請求項２】
前記タブパネル固定部材（１４２、２１２、３１６、４０６）が、前記タブパネル（１２４）とスナップ留め可能に係合し、前記スロットパネル固定部材（１４０、２１０、３１４、４０４）が、前記スロットパネル（１２０）とスナップ留め可能に係合し、前記クリップ（１０６、２００、３００、４００）をそれぞれ前記タブパネル及び前記スロットパネルにしっかりと接合する、請求項１に記載のパネルシステム（１００、４５０）。
【請求項３】
前記スロットパネル固定部材（１４０、２１０、３１４、４０４）が、前記スロットパネル（１２０）の前記表面板（１１０、１１２）と前記コア（１１４）との間に配置される、請求項１又は２に記載のパネルシステム（１００、４５０）。
【請求項４】
前記スロットパネル固定部材（１４０、２１０、３１４、４０４）が、前記表面板（１１０、１１２）の後ろの前記スロット（１２２）の中に延伸するフランジを備え、前記表面板が、前記クリップ（１０６、２００、３００、４００）の前記フランジを前記スロット内に捕える、請求項１から３のいずれか一項に記載のパネルシステム（１００、４５０）。
【請求項５】
前記クリップ（１０６、２００、３００、４００）が、前記スロット（１２２）内に受け入れられるベース部分（１５０、２０２、３０２、４０２）を備え、前記ベース部分が、前記タブ（１２６）を受け入れるポケット（１６２、３０８）を画定し、前記スロットパネル固定部材（１４０、２１０、３１４、４０４）が、前記ベース部分から外向きに延伸して前記スロットパネル（１２０）の前記表面板（１１０、１１２）と係合する、請求項１から４のいずれか一項に記載のパネルシステム（１００、４５０）。
【請求項６】
前記タブパネル固定部材（１４２、２１２、３１６、４０６）が、前記ベース部分（１５０、２０２、３０２、４０２）から延伸して前記タブパネル（１２４）の前記表面板（１１０、１１２）と係合する、請求項５に記載のパネルシステム（１００、４５０）。
【請求項７】
前記タブパネル固定部材（１４２、２１２、３１６、４０６）が、前記ポケット（１６２、３０８）の中へ内向きに延伸し、前記タブパネル（１２４）の前記タブ（１２６）と係合して前記タブを前記ポケット内に固定する、請求項５又は６に記載のパネルシステム（１００、４５０）。
【請求項８】
前記クリップ（１０６、２００）が、前記タブパネル（１２４）の主要本体（１３２）に沿って前記ベース部分（１５０、２０２）から延伸する脚部（１５２、１５４、２０８）を含み、前記タブパネル固定部材（１４２、２１２）が、前記脚部から前記タブパネルの前記表面板（１１０、１１２）内のチャネル（１３６）を通って延伸し、前記クリップを前記タブパネルに固定する、請求項５から７のいずれか一項に記載のパネルシステム（１００）。
【請求項９】
前記タブパネル（１２４）の前記表面板（１１０、１１２）が第１の表面板（１１０）であり、前記タブパネルが前記第１の表面板と対向し前記コアと隣接する第２の表面板（１１２）を含み、前記クリップ（１０６）が前記第１の表面板に沿って前記ベース部分（１５０）から延伸する第１の脚部（１５２）及び前記第２の表面板に沿って前記ベース部分から延伸する第２の脚部（１５４）を含み、前記第１及び第２の脚部の間に空間（１６４）が画定され、前記タブパネルの前記コアが前記空間内に配置され、前記タブパネル固定部材（１４２）が、前記第１の脚部から前記空間の中へ延伸して前記タブパネルと係合する第１のフランジを備え、前記タブパネル固定部材が、前記第２の脚部から前記空間の中へ延伸して前記タブパネルと係合する第２のフランジを備える、請求項５又は８に記載のパネルシステム（１００）。
【請求項１０】
前記クリップ（４００）がベース部分（４０２）を備え、前記タブパネル（１２４）の前記タブ（１２６）がチャネル（４３０）を備え、前記タブパネル固定部材（４０６）が前記ベース部分から延伸して前記チャネル内に受け入れられる突起部を備え、前記スロットパネル固定部材（４０４）がラッチ解除位置とラッチ係合位置との間で撓み可能な前記ベース部分から延伸する撓み可能なタブ（４１０）を備え、前記クリップが前記スロット（１２２）の中に挿入される際に前記撓み可能なタブが前記ラッチ解除位置へ撓み、前記撓み可能なタブが前記スロットパネル（１２０）の前記表面板（１１０）をクリアした後で前記撓み可能なタブが前記ラッチ係合位置へ撓み、前記撓み可能なタブが前記ラッチ係合位置において前記スロットパネルの前記表面板の内装表面（１７０）と係合する、請求項１に記載のパネルシステム（４５０）。
【請求項１１】
前記スロットパネル（１２０）の前記表面板（１１０）が、前記スロット（１２２）の外周に端部（１７４）を有し、前記スロットパネルが、内装表面（１７０）及び外装表面（１７２）を含み、前記スロットパネル固定部材（１４０）が、前記端部に隣接する前記内装表面に対抗して固定される、請求項１に記載のパネルシステム（１００）。
【請求項１２】
前記タブパネル（１２４）が、前記タブ（１２６）の最終端部（１３４）から一定の距離だけ離れた、前記タブパネルの前記表面板（１１０、１１２）を通るチャネル（１３６、４３０）を含み、前記タブパネル固定部材（１４２、２１２、３１６、４０６）が、前記チャネル内に受け入れられる、請求項１から１１のいずれか一項に記載のパネルシステム（１００、４５０）。
【請求項１３】
前記クリップ（３００）が、前記スロットパネル（１２０）の前記表面板（１１０）の外装表面（１７２）の後ろに収容される、請求項１に記載のパネルシステム（１００）。
【請求項１４】
前記タブパネル（１２４）が少なくとも１つのスロット（１２４）を含み、前記スロットパネル（１２０）が少なくとも１つのタブ（１２６）を含み、前記スロットと前記タブとの間に対応するクリップ（１０６、２００、３００、４００）を有する、請求項１から１３のいずれか一項に記載のパネルシステム（１００、４５０）。
【請求項１５】
パネルシステム（１００、４５０）を組み立てる方法であって、前記パネルシステムが、タブパネル（１２４）であって、前記タブパネルから延伸する少なくとも１つのタブ（１２６）を有する、タブパネル、及び前記タブパネルの対応する前記タブを受け入れる少なくとも１つのスロット（１２２）を有するスロットパネル（１２０）を含み、前記タブパネル及び前記スロットパネルが、各々、コア（１１４）及び前記コアと隣接する表面板（１１０、１１２）を有し、前記パネルシステムが、タブパネル固定部材（１４２、２１２、３１６、４００）及びスロットパネル固定部材（１４０、２１０、３１４、４０４）を有するクリップ（１０６、２００、３００、４００）を更に含み、前記方法が、
前記クリップを前記タブ近傍の前記タブパネル又は前記スロット近傍の前記スロットパネルに挿入すること、
前記クリップが前記タブパネルの一部分と前記スロットパネルの一部分との間に配置されるように、前記タブを前記スロット内に挿入すること、及び
前記スロットパネル固定部材を前記スロットパネルの前記表面板と前記スロットパネルの前記コアとの間に挿入することを含む、方法。
【発明の詳細な説明】
【技術分野】
【０００１】
本開示は、広くは、航空機で使用されるパネルシステムなどのパネルシステム及びパネルシステムを組み立てる方法に関する。
【背景技術】
【０００２】
航空機で使用されるものなどのパネルシステムは、ギャレー、化粧室、仕切り、荷物箱、クローゼット、乗務員用休憩室、及びそれらと同様なものを形成するに当たり、複合材パネル構造を使用する。パネルシステムのパネルは、タブ及びスロット接合部（ｔａｂ‐ａｎｄ‐ｓｌｏｔ  ｊｏｉｎｔ）又はかま継ぎ接合部（ｍｏｒｔｉｓｅ‐ａｎｄ‐ｔｅｎｏｎ  ｊｏｉｎｔｓ）を使用して、共に接合され得る。例えば、パネルの一方はそこに形成されたスロットを有し得、他方のパネルは対応するスロット内に受け入れられるそこから延伸するタブを有し得る。しかしながら、パネルシステムの製造の間に、そのような既知のタブ及びスロット接合部は、典型的には、恒久的にパネルを共に接合するために接着剤の使用を必要とする。例えば、スロットには接着剤が満たされ、タブは堆積した糊の中へ嵌め込まれる。代替的に、各スロットに隣接して小さい穴が提供され、タブがスロットの中へ挿入された後で、接着剤が穴の中へ注入されてスロットを満たし、タブをスロット内に固定する。
【０００３】
パネルシステムのための既存の組み立て方法は、欠点がない訳ではない。例えば、過剰な接着剤は、スロットから流れ出る傾向がある。技術者は、硬化の前に接着剤を拭うか、又は硬化の後に接着剤を紙やすりで磨くかのいずれかによって、過剰な接着剤を取り除く。そのような接着剤の設置、使用、及び除去は、労力、材料、及び工具費を増加させ、今度はそれが、全体の製造費用を増加させ得る。更に、そのような接着剤の設置、使用、及び除去は、パネル構造を組み立てる時間を増加させ得、今度はそれが、全体の製造費用を増加させ得る。例えば、パネルは、何時間もかかり得る接着剤の全体の硬化時間の間に、共に締め付けられることが必要であり得る。
【０００４】
タブを保持するためにスロット内で接着剤を使用することに関する別の１つの問題は、硬化後に生じる。接着剤は、パネルの反対側の表面板を内側に（例えば、タブに向かって）引く傾向があり、パネルの仕上げ表面内にギザギザ（ｉｎｄｅｎｔａｔｉｏｎ）を生成する。そのようなギザギザは、典型的には、パテ又は他の充填材で満たされ、滑らかな仕上げ表面を提供するように紙やすりで磨かれる。ギザギザを修理することは、労力、材料、及び工具費を増加させ、今度はそれが、全体の製造費用を増加させ得る。更に、ギザギザを修理することは、パネル構造を組み立てる時間を増加させ、今度はそれが、全体の製造費用を増加させ得る。
【発明の概要】
【０００５】
一実施形態によれば、そこから延伸する少なくとも１つのタブを有するタブパネルを含むパネルシステムが、提供される。タブパネルは、コア及びコアに隣接する表面板を有する。パネルシステムは、その中にタブパネルの対応するタブを受け入れる少なくとも１つのスロットを有するスロットパネルを含む。スロットパネルは、コア及びコアに隣接する表面板を有する。スロットは、表面板及びコアの少なくとも一部分内に形成される。パネルシステムは、タブパネルとスロットパネルとの間に配置されるクリップを含む。クリップは、少なくとも部分的にスロット内に受け入れられる。クリップは、タブパネルに固定されるタブパネル固定部材を有し、クリップは、スロットパネルに固定されるスロットパネル固定部材を有する。クリップは、タブパネルをスロットパネルにしっかりと接合する。
【０００６】
更なる一実施形態によれば、複数のパネルを含むパネルシステムキットが提供される。複数のパネルの各々は、対向する表面板の間のコアを有する。ここで、パネルの各々が、スロット又はタブの少なくとも１つを有するように構成される。パネルシステムキットは、パネルを接合するために、対応するパネルの間に配置されるように構成された複数のクリップを含む。各クリップは、スロットを有するパネルの対応する表面板にしっかりと係合するように構成されたスロットパネル固定部材を有し、各クリップは、タブを有するパネルの対応する表面板にしっかりと係合するように構成されたタブパネル固定部材を有する。
【０００７】
更なる一実施形態によれば、パネルシステムを組み立てる方法が提供される。パネルシステムは、そこから延伸する少なくとも１つのタブを有するタブパネル、及びタブパネルの対応するタブを受け入れる少なくとも１つのスロットを有するスロットパネルを有し、タブパネル及びスロットパネルの各々が、コア及びコアに隣接する表面板を有する。パネルシステムは、タブパネル固定部材及びスロットパネル固定部材を有するクリップを更に含む。方法は、タブに隣接するタブパネルの部分又はスロットに隣接するスロットパネルの部分にクリップを挿入すること、クリップがタブパネルの一部分とスロットパネルの一部分との間に配置されるように、スロット内にタブを挿入すること、及びスロットパネルの表面板とスロットパネルのコアとの間にスロットパネル固定部材を挿入することを含む。
【０００８】
上述の特徴及び機能は、様々な実施形態において独立に実現することが可能であり、また別の実施形態において組み合わせることも可能である。これらの実施形態について、以下の説明および添付図面を参照して更に詳細に説明する。
【図面の簡単な説明】
【０００９】
【図１】例示的な一実施形態にしたがって形成されたパネルシステムの１以上の例示的な実施形態を組み込み得る航空機の斜視図である。
【図２】例示的な一実施形態による、パネルシステムの斜視図である。
【図３】組み立てられていない状態のパネルシステムの様々な構成要素を示すパネルシステムの一部分を示す。
【図４】組み立ての間のパネルシステムの一部分の斜視図である。
【図５】パネルシステムのスロットパネルに接合されたタブパネルを示すパネルシステムの一部分を示す。
【図６】組み立てられた状態のパネルシステムの断面図である。
【図７】例示的な一実施形態にしたがって形成されたパネルシステムのクリップの側面図である。
【図８】例示的な一実施形態にしたがって形成されたパネルシステムのクリップの斜視図である。
【図９】例示的な一実施形態にしたがって形成されたパネルシステムのクリップの前面斜視図である。
【図１０】図９で示されたクリップの後面斜視図である。
【図１１】タブパネルに結合された図９で示されるクリップを示す。
【図１２】タブパネルをスロットパネルに固定するための、図９で示されたクリップを使用するパネルシステムの断面図である。
【発明を実施するための形態】
【００１０】
特定の実施形態の以下の詳細な説明は、添付の図面を参照して読むことにより、より深く理解される。様々な実施形態は図面に示す配設および手段に限定されないことを、理解すべきである。
【００１１】
本書において、単数で記載され、「一」または「１つの」という言葉に後続する要素またはステップは、前記要素又はステップの複数形を除外することが明示的に記述されない限り、かかる除外は行われないことを、理解すべきである。更に、「一実施形態」又は「１つの実施形態」への言及は、やはり記載されている特性を内包する追加的な実施形態の存在を除外すると解釈されることを、意図するものではない。また、反対に明示的に記述されない限り、特定の性質を有する１以上の要素を「備える」「含む」または「有する」実施形態は、その性質を有しない追加的な要素を含み得る。
【００１２】
本明細書で説明される実施形態は、既知のシステム及び方法よりも優れた利点を提供する、パネルシステム及びそのようなパネルシステムを製造する方法のための改良された接合部を含む。例えば、本明細書で説明される実施形態は、過剰な接着剤を低減又は除去し、及び／又は表面のギザギザを除去し得る。本明細書では、パネルシステム及びパネルシステムを組み立てる方法の様々な実施形態が説明される。パネルシステムは、そこから延伸する少なくとも１つのタブを有するタブパネル、及びその中にタブパネルの対応するタブを受け入れる少なくとも１つのスロットを有するスロットパネルを含む。パネルは、それぞれ、コア及びコアに隣接する表面板を有する。パネルシステムの様々な実施形態は、タブパネルとスロットパネルとの間に配置され、少なくとも部分的にスロット内に受け入れられる、クリップを含む。クリップは、タブパネルに固定されるタブパネル固定部材、及びスロットパネルに固定されるスロットパネル固定部材を有する。クリップは、タブパネルをスロットパネルにしっかりと接合する。パネルシステムは、タブに隣接するタブパネル又はスロットに隣接するスロットパネルにクリップを挿入すること、クリップがタブパネルの一部分とスロットパネルの一部分との間に配置されるように、スロット内にタブを挿入すること、及びスロットパネルの表面板とスロットパネルのコアとの間にスロットパネル固定部材を挿入することによって組立てられ得る。
【００１３】
図１は、例示的な一実施形態にしたがって形成されたパネルシステム１００の１以上の例示的な実施形態を組み込み得る航空機１０の斜視図である。航空機１０は、胴体１２、ノーズ１４、コックピット１６、翼１８、１以上の推進ユニット２０、垂直尾部２２、及び水平尾部２４を含む。航空機１０は、概して、モニュメント、ギャレー、化粧室、仕切り、荷物箱、クローゼット、乗務員休憩室、及びそれらと同様なものなどの、パネルシステム１００を組み込んだ１以上の構造２６を有する民間旅客機を表しているが、本開示の実施形態の教示は、他の旅客機、貨物航空機、軍事航空機、回転翼航空機、及び他のタイプの航空機若しくは航空輸送体のみならず、航空宇宙輸送体、衛星、宇宙往還機、ロケット、及び他の航空宇宙輸送体のみならず、ボート、他の船舶、列車、自動車、トラック、バス、又はパネルシステム１００の１以上の実施形態を用いて製造された１以上の構造２６を有する他の適切な構造に適用され得る。
【００１４】
図２は、例示的な一実施形態による、パネルシステム１００の斜視図である。パネルシステム１００は、１以上の接合部１０４で接合された複数のパネル１０２を含む。例示的な一実施形態では、接合部１０４が、かま継ぎ構成としても呼ばれる、タブ及びスロット構成である。接合部１０４は、それぞれ、パネル１０２を共に保持するためのクリップ１０６を含む。クリップ１０６は、パネル１０２に対してセルフロック式であり、それによって、クリップ１０６は、パネル１０２を共に固定するために追加のファスナ又は接着剤を必要としない。例えば、クリップ１０６は、隣接するパネル１０２とスナップ留め可能に（ｓｎａｐａｂｌｙ）係合し、パネルを共に保持する。クリップ１０６及びパネル１０２の１以上は、キットとして梱包され、パネルシステムの製造業者に売られ得る。パネル１０２は、そこに形成されたタブ及びスロットなどを伴って、予め形成された状態で販売され、又は、代替的に、パネルシステムの製造業者が、製造の間にパネル１０２内にタブ及びスロットを形成し得る。代替的に、パネルは、既に設置され組み立ての準備ができているクリップ１０６を伴って予め形成された状態で販売され得る。他の実施形態では、予め組み立てられたパネルシステム１００が、航空機の設置業者又は製造業者に販売され得る。
【００１５】
各パネル１０２は、軽量であり、可燃性要件などのＦＡＡ材料要件を満たすように設計された、サンドウィッチ複合材パネルであり得る。各パネル１０２は、それらの間にサンドウィッチされたコア１１４を有する２つの対向する表面板１１０、１１２を含む。表面板１１０、１１２は、外板としても知られ、繊維ガラス樹脂、グラファイト樹脂、パラアラミド合成繊維樹脂、プリプレグ複合材料、又は別の適切な複合材料から作られることができ、既知のレイアップ及び／又は硬化プロセスの中で材料をレイアップすることによって形成され得る。表面板１１０、１１２は、アルミニウムなどの軽量金属材料、又は代替的な実施形態では金属材料と複合材料との組み合わせからも、形成され得る。コア１１４は、軽量で且つ高強度のハニカムコアであり得る。コア１１４は、オープンセルフォーム（ｏｐｅｎ  ｃｅｌｌ  ｆｏａｍ）、ポリメリックセル状凝固フォーム（ｐｏｌｙｍｅｒｉｃ，ｃｅｌｌｕｌａｒ  ｓｏｌｉｄ  ｆｏａｍ）、メラミンフォーム（ｍｅｌａｍｉｎｅ  ｆｏａｍ）、クローズドセルフォーム（ｃｌｏｓｅｄ  ｃｅｌｌ  ｆｏａｍ）、又は別の適切なフォーム材料などの、フォーム材料を含み得る。代替的な実施形態では、コア１１４が、メタアラミド材料、樹脂含浸紙材料、アルミニウムなどの軽量金属材料、金属材料と複合材料との組み合わせ、及びそれらと同様なものなどの、他の材料から形成され得る。
【００１６】
パネル１０２は、パネル１０２の最終端又は端部において接合され、又は、代替的には、パネル１０２の中間部分において接合され得る。パネル１０２は、特定の用途に応じて任意の形状を有し、図２で示されている矩形状に限定されるものではない。オプションとして、単一のパネル１０２は、多数の他のパネル１０２に接合され得る。あるパネル１０２は、内側パネルを画定し、あるパネル１０２は、外側パネルを画定し、あるパネル１０２は、パネルシステム１００の内側及び外側パネルの両方を画定し得る。接合部１０４は、パネル１０２に沿って任意の間隔で提供され得る。例えば、接合部１０４は、パネル１０２の最終端若しくは端部又はその近傍において、パネル１０２の間の任意の中間部分において、及び互いから任意の間隔を空けて提供され得る。
【００１７】
図３は、組み立てられていない状態のパネルシステム１００の様々な構成要素を示すパネルシステム１００の一部分を示している。図３は、パネル１０２を共に保持するために使用されるクリップ１０６の１つの例示的な一実施形態を示している。例示的な実施形態では、その中に形成されたスロット１２２を有する第１のパネル１２０が提供される。スロット１２２を含むそのようなパネルは、本明細書においてこれ以後、スロットパネル１２０と呼ばれ得る。図３は、そこから延伸するタブ１２６を有する第２のパネル１２４を示している。タブ１２６を含むそのようなパネルは、本明細書においてこれ以後、タブパネル１２４と呼ばれ得る。スロットパネル１２０は、任意の数のスロット１２２を含み、タブパネル１２４は、任意の数のタブ１２６を含み得る。ある実施形態では、パネル１０２のいずれか又は両方が、互いに連結するための及び／又は他のパネル１０２に連結するためのスロット１２２及びタブ１２６の両方を含み得る。
【００１８】
スロット１２２は、スロット１２２を形成するためにスロットパネル１２０を削る（ｍｉｌｌｉｎｇ）ことによって形成され得る。例えば、スロット１２２は、コンピュータ数値制御（ＣＮＣ）マシン又は他のマシンを使用して削られ得る。スロット１２２は、第１の表面板１１０を貫通し、コア１１４の少なくとも途中まで通るように形成される。コア１１４の一部分は、スロット１２２内で露出される。様々な実施形態では、スロット１２２が、第２の表面板１１２を貫通し得る。スロット１２２は、タブ１２６及びクリップ１０６を受け入れるように、サイズ決定され形作られる。例示的な実施形態では、スロット１２２が、概して、矩形状であるが、代替的な実施形態では、他の形状のスロットが使用され得る。スロット１２２は、スロットパネル１２０の端部又はその近傍において提供され、又は、代替的に、スロット１２２は、その端部から離れたスロットパネル１２０の内装部分に沿って提供され得る。
【００１９】
タブ１２６は、タブパネル１２４の主要本体１３２の端部１２８から延伸する。タブ１２６は、ＣＮＣマシン又は別のタイプのマシンを使用するなどして、端部１２８を削ることによって形成され得る。タブ１２６は、タブパネル１２４の全体的な厚さで延伸し、両方の表面板１１０、１１２及びコア１１４を含み得る。オプションとして、端部１２８及び最終端部１３４は、コア１１４を覆う表面板を含み得る。代替的に、コア１１４は、端部１２８及び最終端部１３４において露出され得る。タブ１２６は、主要本体１３２から離れて最終端部１３４まで延伸する。タブ１２６は、タブパネル１２４の主要本体１３２と最終端部１３４との間で画定される幅１３０を有する。幅１３０は、スロットパネル１２０の厚さ又は深さ未満であり、主要本体１３２がスロットパネル１２０の表面板１１０と概して面一で配置されるように、タブ１２６がスロット１２２内に受け入れられることを可能にする。
【００２０】
例示的な一実施形態では、タブパネル１２４が、タブパネル１２４の表面板１１０及び表面板１１２内に形成された１以上のチャネル１３６を含む。チャネル１３６は、組み立ての際に、クリップ１０６の部分を受け入れるように構成される。例示的な実施形態では、チャネル１３６が、表面板１１０、１１２内に削られた長くて狭いスリットであり得る。示される実施形態では、チャネル１３６が、タブ１２６の最終端部１３４から離れて配置される。チャネル１３６は、主要本体１３２内に提供されるが、代替的な実施形態では、チャネル１３６がタブ１２６内に提供され得る。オプションとして、各表面板１１０、１１２は、クリップ１０６の種々の部分を受け入れるために、各タブ１２６に関連付けられた多数のチャネル１３６を含み得る。
【００２１】
クリップ１０６は、タブパネル１２４をスロットパネル１２０にしっかりと接合するために、スロットパネル１２０及びタブパネル１２４にしっかりと結合されるように構成される。クリップ１０６は、スロットパネル１２０及び／又はタブパネル１２４に対してセルフロック式であり得る。例えば、クリップ１０６は、追加のファスナ又は接着剤なしに、スロットパネル１２０に固定され得る。同様に、クリップ１０６は、追加のファスナ又は接着剤の使用なしに、タブパネル１２４に固定され得る。クリップ１０６は、組み立ての間に、スロットパネル１２０及び／又はタブパネル１２４にスナップ留め可能に係合し得る。そのようなセルフロック式の及び／又はスナップ留め可能な係合は、パネルシステム１００の素早い設置及び組み立てを可能にする。しかしながら、他の様々な実施形態では、クリップ１０６が、接着剤を使用してスロットパネル１２０及び／又はタブパネル１２４に固定され、それらの間の機械的統合性を高め得る。例えば、クリップ１０６は、スロット１２２に対する第１次又は第２次のいずれかの機械的固定連結として、接着剤を使用してスロット１２２内に固定され得る。
【００２２】
クリップ１０６は、１以上のスロットパネル固定部材１４０、及び１以上のタブパネル固定部材１４２を含む。スロットパネル固定部材１４０は、クリップ１０６をスロットパネル１２０に固定する。タブパネル固定部材１４２は、クリップ１０６をタブパネル１２４に固定する。示される実施形態では、スロットパネル固定部材１４０が、クリップ１０６から外向きに延伸するフランジ又は突起部である。そのようなスロットパネル固定部材１４０は、クリップ１０６がスロット１２２の中へ挿入された場合に、スロットパネル１２０の表面板１１０と係合するように構成される。例示的な実施形態では、タブパネル固定部材１４２が、内向きに延伸するフランジ又は突起部である。タブパネル固定部材１４２は、タブパネル１２４の表面板１１０、１１２内の対応するチャネル１３６内に受け入れられ、クリップ１０６をタブパネル１２４にしっかりと接合するように構成される。
【００２３】
クリップ１０６は、金属、プラスチック、又は他の材料から製造され得る。クリップ１０６は、Ｕ字形状であるが、代替的な実施形態では他の形状が可能である。例示的な実施形態では、クリップ１０６が、ベース部分１５０、及びベース部分１５０の対向する側から延伸する一対の脚部１５２、１５４を含む。スロットパネル固定部材１４０は、ベース部分１５０から延伸する。タブパネル固定部材１４２は、脚部１５２、１５４から延伸する。ベース部分１５０は、端壁１５６及び対向する側壁１５８、１６０によって画定される。側壁１５８、１６０は、端壁１５６の反対側から延伸する。脚部１５２は側壁１５８から延伸し、脚部１５４は側壁１６０から延伸する。ベース部分１５０は、側壁１５８、１６０の間のポケット１６２を画定する。ポケット１６２は、タブパネル１２４がスロットパネル１２０に結合する場合に、タブ１２６の少なくとも一部分を受け入れるように構成される。
【００２４】
例示的な一実施形態では、ベース部分１５０が、概して、スロット１２２内に受け入れられるクリップ１０６の部分である。スロットパネル固定部材１４０は、ポケット１６２から離れるように、側壁１５８、１６０から外向きに延伸し、表面板１１０の内装表面と係合する。スロットパネル固定部材１４０は、表面板１１０とコア１１４との間に配置されるように構成される。
【００２５】
例示的な一実施形態では、脚部１５２、１５４が、側壁１５８、１６０を超えて延伸し、概して、スロット１２２の外側のクリップ１０６の部分である。脚部１５２、１５４は、タブパネル１２４の主要本体１３２に沿って延伸するように構成される。脚部１５２、１５４は、タブ１２６を超えて、タブパネル１２４の表面板１１０、１１２に沿って延伸し、チャネル１３６に至る。タブパネル固定部材は、脚部１５２、１５４の間で画定される空間１６４の中へと内向きに延伸する。組み立てられる際に、タブパネル１２４は空間１６４内に配置され、タブパネル固定部材１４２は、チャネル１３６を通してタブパネル１２４の中へ延伸する。
【００２６】
例示的な一実施形態では、側壁１５８、１６０及び／又は脚部１５２、１５４が、内向きに角度（テーパ）を付けられている。そのような内向きのテーパは、タブパネル固定部材１４２がチャネル１３６の中へ入ってタブパネル１２４と係合するように、クリップ１０６がタブパネル１２４に対抗して圧すことを保証する。オプションとして、タブ１２６がポケット１６２及びスロット１２２の中へ挿入されるように、タブパネル１２４がスロットパネル１２０と結合する際に、タブ１２６が、側壁１５８、１６０に対抗して外向きに圧し、スロットパネル固定部材１４０が、スロットパネル１２０の表面板１１０の後ろに配置され且つ位置合わせされ、スロット１２２から滑り抜け得ないことを保証する。
【００２７】
図４は、組み立ての間のパネルシステム１００の一部分の斜視図である。組み立ての間に、クリップ１０６はスロット１２２の中へ挿入される。ベース部分１５０は、表面板１１０の内装表面１７０の後ろのスロット１２２内に受け入れられる。脚部１５２、１５４は、表面板１１０の外装表面１７２を超えてベース部分１５０の前方へ延伸する。クリップ１０６は、開いており、その中にタブパネル１２４の一部分を受け入れることができる。例えば、タブ１２６は、脚部１５２、１５４の間の空間１６４を通して挿入され、ポケット１６２の中に至る。タブパネル１２４の主要本体１３２の一部分は、脚部１５２、１５４の間の空間１６４内に受け入れられるように構成される。タブパネル１２４は、クリップ１０６がしっかりとタブパネル１２４に接合するまで、クリップ１０６の中へ挿入される。例えば、タブパネル１２４は、タブパネル固定部材１４２がタブパネル１２４の表面板１１０、１１２内の対応するチャネル１３６内に受け入れられるまで、クリップ１０６の中へ挿入される。タブパネル固定部材１４２がタブパネル１２４の表面板１１０、１１２の中へ締め込み、タブパネル１２４をスロットパネル１２０にしっかりと接合する。オプションとして、タブパネル固定部材１４２は、タブパネル固定部材１４２がチャネル１３６と位置合わせされる際に、タブパネル１２４とスナップ留め可能に係合し得る。
【００２８】
図５は、スロットパネル１２０に接合したタブパネル１２４を示すパネルシステム１００の一部分を示している。図６は、組み立てられた状態のパネルシステム１００の断面図である。クリップ１０６は、タブパネル１２４をスロットパネル１２０にしっかりと接合する。タブパネル固定部材１４２が、タブパネル１２４の表面板１１０、１１２内のチャネル１３６の中へ締め込み、タブパネル１２４をスロットパネル１２０に対してしっかりと保持する。脚部１５２、１５４は、タブパネル１２４の両側に沿って、対応するチャネル１３６へ延伸する。
【００２９】
図６で示されるように、組み立てられた場合に、スロットパネル固定部材１４０は、スロットパネル１２０の表面板１１０の内装表面１７０の後ろに捕えられる。タブパネル１２４は、側壁１５８、１６０を外向きに強制して、スロットパネル固定部材１４０が、表面板１１０の後ろにロックされたままであることを保証する。スロットパネル１２０は、スロット１２２の外周に端部１７４を有する。スロットパネル固定部材１４０は、端部１７４に隣接する内装表面１７０に対抗して固定される。スロットパネル固定部材１４０は、表面板１１０とコア１１４の部分との間に配置される。例えば、コア１１４は、表面板１１０の後ろで少なくとも部分的に削り出され得る。代替的に、スロットパネル固定部材１４０は、クリップ１０６がスロット１２２の中へ挿入された場合に、コア１１４の一部分を排除し得る。
【００３０】
図７は、例示的な一実施形態にしたがって形成されたクリップ２００の側面図である。クリップ２００は、クリップ１０６と類似しているが、クリップ２００は、クリップ１０６の一対の脚部１５２、１５４とは異なり、単一の脚を含む。クリップ２００は、側壁２０４、２０６を有するベース部分２０２を含む。クリップ２００は、側壁２０４から延伸する脚２０８を含む。クリップ２００は、側壁２０４、２０６から延伸するスロットパネル固定部材２１０、及び脚２０８から内向きに延伸するタブパネル固定部材２１２を含む。単一脚のクリップ２００は、単一脚のクリップ２００においては脚１５２又は１５４のうちの一つが省かれるということを除いて、二重脚のクリップ１０６と類似している。したがって、クリップ１０６に関する説明の少なくとも一部は、クリップ２００に適用可能である。一対の脚とは異なり単一脚２０８を有することによって、クリップ２００は、（図３で示される）タブパネル１２４の一方の側のみにおいて見ることができる。クリップ２００は、クリップ１０６よりも、優れて隠れ、且つ見え難い。例えば、クリップ２００は、見える脚２０８が、航空機の客室内で、覆われ、露出されず、又はさもなければ見え難い、タブパネル１２４の一方の側において提供されるように、方向付けられ得る。
【００３１】
図８は、例示的な一実施形態にしたがって形成されたクリップ３００の斜視図である。クリップ３００は、クリップ１０６、２００と類似しているが、脚が無いクリップ３００は、（図３で示される）対応するタブパネル１２４に沿って見える任意の脚を含まない。脚がないクリップ３００は、脚がないクリップ３００においては脚１５２及び１５４の両方が省かれているということを除いて、二重脚のクリップ１０６又は単一脚のクリップ２００と類似している。したがって、クリップ１０６及び／又はクリップ２００に関する説明の少なくとも一部は、クリップ３００に適用可能である。クリップ３００は、スロットパネル１２０のスロット１２２内に全体が収容されるように設計されている。言い換えると、クリップ３００は、スロットパネル１２０の表面板１１０の後ろに完全に収容される。
【００３２】
クリップ３００は、側壁３０４、３０６を有するベース部分３０２を含む。側壁３０４、３０６は、クリップ１０６の側壁よりも極めて短くなり得る。クリップ３００は、一連の分散されたスロットパネルアーム３１０及びタブパネル脚部３１２を有し得る。スロットパネルアーム３１０及びタブパネル脚部３１２は、互いに対して独立して動作可能である。側壁３０４、３０６及び／又はスロットパネルアーム３１０及びタブパネル脚部３１２は、タブパネル１２４のタブ１２６を受け入れるように構成されたポケット３０８を画定する。
【００３３】
スロットパネルアーム３１０は、そこから延伸する対応するスロットパネル固定部材３１４を有する。タブパネル脚部３１２は、そこから延伸する対応するタブパネル固定部材３１６を有する。スロットパネルアーム３１０及び／又はスロットパネル固定部材３１４は、外向きに角度が付けられ、遠位端３１８へ延伸し得る。スロットパネル固定部材３１４は、遠位端１３８において画定され、それは、組み立てられた場合に、スロットパネル１２０の表面板１１０の内装表面と係合又は隣接し得る。例えば、遠位端３１８は、スロットパネル固定部材が、スロットパネル１２０の表面板１１０の後ろに位置合わせされ得るように、ポケット３０８から離れるように角度が付けられ得る。
【００３４】
タブパネル固定部材３１６は、タブパネル脚部３１２から内向きに角度が付けられたフランジであり得る。タブパネル固定部材３１６は、タブパネル１２４内で形成された対応するチャネル１３６内に受け入れられるように構成される。例えば、チャネル１３６は、タブ１２６がポケット３０８の中へ挿入される際に、タブパネル固定部材３１６がタブ１２６のチャネル１３６内に受け入れられて、タブパネル１２４をスロットパネル１２０に固定するように、タブ１２６内に提供され得る。スロットパネルアーム３１０及びタブパネル脚部３１２の両方とも、クリップ３００のいずれの部分も組み立てられた後で見えないように、スロット１２２から外側へ延伸しない。
【００３５】
例示的な一実施形態では、スロットパネルアーム３１０及びタブパネル脚部３１２が、互いに対して独立して撓み可能であり得る。任意の数のスロットパネルアーム３１０及びタブパネル脚部３１２が、側壁３０４、３０６の各々に沿って提供され得る。例示的な実施形態では、５つのスロットパネルアーム３１０及び４つのタブパネル脚部３１２が、側壁３０４、３０６の各々から延伸するが、代替的な実施形態では、任意の数のスロットパネルアーム３１０及びタブパネル脚部３１２が、提供され得る。
【００３６】
図９は、例示的な一実施形態にしたがって形成されたクリップ４００の前面斜視図である。図１０は、クリップ４００の後面斜視図である。クリップ４００は、クリップ４００が、（両方とも図３で示される）スロットパネル１２０よりもむしろタブパネル１２４と初期的に結合するように構成されているということを除いて、クリップ１０６と類似する。例えば、クリップ４００は、それらのいずれか又は両方が対応するパネルとスナップ留め可能に結合し得る、タブパネル固定部材及びスロットパネル固定部材の両方を含む。したがって、クリップ１０６に関する説明の少なくとも一部は、クリップ４００に適用可能である。
【００３７】
クリップ４００は、ベース部分４０２を含む。スロットパネル固定部材４０４は、ベース部分４０２から延伸し、スロットパネル１２０と係合し且つしっかりと固定されるように構成される。タブパネル固定部材４０６は、ベース部分４０２から延伸し、タブパネル１２４と係合し且つしっかりと固定されるように構成される。
【００３８】
例示的な一実施形態では、ベース部分４０２が板である。例示的な実施形態では、ベース部分４０２が卵形状の板であるが、代替的な実施形態では、他の形状が可能である。タブパネル固定部材４０６は、ベース部分４０２から後ろ向きに延伸する。例示的な実施形態では、タブパネル固定機構４０６が、タブパネル内で形成された卵形状のチャネル内に受け入れられるように構成された、概して卵形状の突起部である。代替的な実施形態では、他の形状が可能である。タブパネル固定機構４０６は、概してスロットパネル固定部材４０４と位置合わせされる、その一部分においてカットアウトを含む。
【００３９】
例示的な実施形態では、スロットパネル固定部材４０４が、ベース部分４０２にヒンジを介して結合された撓み可能なタブ４１０を含む。撓み可能なタブ４１０は、カットアウト４０８の中へ撓み、且つベース部分４０２から外向きに撓み得る。例示的な一実施形態では、撓み可能なタブ４１０が、ベース部分４０２から前方へすなわち外向きに角度が付けられる。スロットパネル固定部材４０４は、撓み可能なタブ４１０の遠位端においてフランジ４１２を含む。フランジ４１２は、スロットパネル１２０と係合して、スロットパネル１２０内にクリップ４００を保持するように構成される。
【００４０】
図１１は、タブパネル１２４に結合されたクリップ４００を示す。例示的な一実施形態では、クリップ４００が、タブパネル１２４の両方の側に提供される。クリップ４００は、ベース部分４０２が、タブパネル１２４の表面板１１０の外装表面１７２に対抗して隣接するように、タブパネル１２４に結合される。タブパネル１２４は、クリップ４００を受け入れるチャネル４３０を含む。チャネル４３０は、タブ１２６内に提供される。タブパネル１２４がスロットパネル１２０に結合された場合に、スロットパネル固定部材４０４が、スロットパネル１２０の表面板１１０の下方に配置されるように構成されるように、チャネル４３０が配置される。（図１０で示される）タブパネル固定機構４０６は、チャネル４３０内に受け入れられ、そこに固定される。オプションとして、クリップ４００は、接着剤又はフリクションフィット（ｆｒｉｃｔｉｏｎ  ｆｉｔ）を使用して、チャネル４３０内に固定され得る。代替的に、タブパネル固定部材４０６は、タブパネル１２４の表面板１１０の後ろに捕えられるように構成されたフランジ又は他の突起部を含み得る。クリップ４００がタブパネル１２４に結合される場合に、スロットパネル固定機構４０４は、ベース部分４０２から外向きに角度を付けられる。フランジ４１２は、タブパネル１２４の表面板１１０の外装表面１７２の外部に、すなわち前方に存在する。
【００４１】
図１２は、タブパネル１２４をスロットパネル１２０に固定するためのクリップ４００を使用するパネルシステム４５０の断面図である。クリップ４００は、タブパネル１２４の両方の側に提供される。スロットパネル固定部材４０４は、外向きに広がり、スロットパネル１２０の表面板１１０の内装表面１７０の後ろに捕えられるように構成される。スロットパネル固定部材４０４は、表面板１１０とコア１１４との間に配置される。
【００４２】
例示的な一実施形態では、スロットパネル固定部材４０４が、撓み可能である。例えば、撓み可能なタブ４１０は、タブパネル１２４のタブ１２６がスロット１２２の中に挿入される際に、スロットパネル１２０の表面板１１０によって内向きに撓ませられ得る。タブパネル１２４がスロットパネル１２０に完全に合致した後で、スロットパネル固定要素４０４は、スロットパネル１２０と係合し、スロットパネル１２０に固定されるように構成される。例示的な一実施形態では、撓み可能なタブ４１０は、ラッチ解除位置とラッチ係合位置との間で撓み可能である。撓み可能なタブ４１０は、クリップ４００がスロットパネル１２０のスロット１２２の中へ挿入される際に、ラッチ解除位置に撓ませられる。例えば、表面板１１０は、撓み可能なタブ４１０がラッチ解除位置へと内向きに撓む原因となり得る。撓み可能なタブ４１０は、撓み可能なタブ４１０がスロットパネル１２０の表面板１１０をクリア（ｃｌｅａｒ）した後で、ラッチ係合位置へと外向きに撓ませられる。ラッチ係合位置では、フランジ４１２が、スロットパネル１２０の表面板１１０の内装表面１７０と係合し、クリップ４００をスロット１２０内に固定する。例示的な一実施形態では、クリップ４００がスロット１２２の中へ挿入される際に、撓み可能なタブ４１０が、ラッチ係合位置からラッチ解除位置へと弾性的に撓ませられる。一旦、表面板１１０がもはや撓み可能なタブを内向きに圧さなくなれば、撓み可能なタブ４１０は、通常のラッチ係合位置へ戻り、タブパネル１２４をスロットパネル１２０にしっかりと接合する。
【００４３】
更に、本開示は、以下の条項による実施形態を含む。
条項１
タブパネルであって、前記タブパネルから延伸する少なくとも１つのタブを有し、コア及び前記コアと隣接する表面板を有する、タブパネル、スロットパネルであって、前記スロットパネル内に前記タブパネルの対応する前記タブを受け入れるための少なくとも１つのスロットを有し、コア及び前記コアと隣接する表面板を有し、前記スロットは前記表面板及び前記コアの少なくとも一部分内に形成される、スロットパネル、及び前記タブパネルと前記スロットパネルとの間に配置されるように構成されたクリップであって、前記スロット内に少なくとも部分的に受け入れられ、前記タブパネルに固定されるタブパネル固定部材を有し、前記スロットパネルに固定されるスロットパネル固定部材を有し、前記タブパネルを前記スロットパネルにしっかりと接合する、クリップを備える、パネルシステム。
条項２
前記タブパネル固定部材が、前記タブパネルとスナップ留め可能に係合し、前記スロットパネル固定部材が、前記スロットパネルとスナップ留め可能に係合し、前記クリップをそれぞれ前記タブパネル及び前記スロットパネルにしっかりと接合する、条項１に記載のパネルシステム。
条項３
前記スロットパネル固定部材が、前記スロットパネルの前記表面板と前記コアとの間に配置される、条項１又は２に記載のパネルシステム。
条項４
前記スロットパネル固定部材が、前記表面板の後ろの前記スロットの中に延伸するフランジを備え、前記表面板が、前記クリップの前記フランジを前記スロット内に捕える、条項１から３のいずれか一項に記載のパネルシステム。
条項５
前記クリップが、前記スロット内に受け入れられるベース部分を備え、前記ベース部分が、前記タブを受け入れるポケットを画定し、前記スロットパネル固定部材が、前記ベース部分から外向きに延伸して前記スロットパネルの前記表面板と係合する、条項１から４のいずれか一項に記載のパネルシステム。
条項６
前記タブパネル固定部材が、前記ベース部分から延伸して前記タブパネルの前記表面板と係合する、条項５に記載のパネルシステム。
条項７
前記タブパネル固定部材が、前記ポケットの中へ内向きに延伸し、前記タブパネルの前記タブと係合して前記タブを前記ポケット内に固定する、条項５又は６に記載のパネルシステム。
条項８
前記クリップが、前記タブパネルの主要本体に沿って前記ベース部分から延伸する脚部を含み、前記タブパネル固定部材が、前記脚部から前記タブパネルの前記表面板内のチャネルを通って延伸し、前記クリップを前記タブパネルに固定する、条項５から７のいずれか一項に記載のパネルシステム。
条項９
前記タブパネルの前記表面板が第１の表面板であり、前記タブパネルが前記第１の表面板と対向し前記コアと隣接する第２の表面板を含み、前記クリップが前記第１の表面板に沿って前記ベース部分から延伸する第１の脚部及び前記第２の表面板に沿って前記ベース部分から延伸する第２の脚部を含み、前記第１及び第２の脚部の間に空間が画定され、前記タブパネルの前記コアが前記空間内に配置され、前記タブパネル固定部材が、前記第１の脚部から前記空間の中へ延伸して前記タブパネルと係合する第１のフランジを備え、前記タブパネル固定部材が、前記第２の脚部から前記空間の中へ延伸して前記タブパネルと係合する第２のフランジを備える、条項５又は８に記載のパネルシステム。
条項１０
前記クリップがベース部分を備え、前記タブパネルの前記タブがチャネルを備え、前記タブパネル固定部材が前記ベース部分から延伸して前記チャネル内に受け入れられる突起部を備え、前記スロットパネル固定部材がラッチ解除位置とラッチ係合位置との間で撓み可能な前記ベース部分から延伸する撓み可能なタブを備え、前記クリップが前記スロットの中に挿入される際に前記撓み可能なタブが前記ラッチ解除位置へ撓み、前記撓み可能なタブが前記スロットパネルの前記表面板をクリアした後で前記撓み可能なタブが前記ラッチ係合位置へ撓み、前記撓み可能なタブが前記ラッチ係合位置において前記スロットパネルの前記表面板の内装表面と係合する、条項１に記載のパネルシステム。
条項１１
前記タブが前記スロットの中へ挿入される前に、前記クリップが前記タブの前記チャネル内に固定される、条項１０に記載のパネルシステム。
条項１２
前記スロットパネルの前記表面板が、前記スロットの外周に端部を有し、前記スロットパネルが、内装表面及び外装表面を含み、前記スロットパネル固定部材が、前記端部に隣接する前記内装表面に対抗して固定される、条項１に記載のパネルシステム。
条項１３
前記クリップが、接着剤を使用して前記スロットパネルの前記コアに固定される、条項１から１２のいずれか一項に記載のパネルシステム。
条項１４
前記タブパネルが、前記タブの最終端部から一定の距離だけ離れた、前記タブパネルの前記表面板を通るチャネルを含み、前記タブパネル固定部材が、前記チャネル内に受け入れられる、条項１から１３のいずれか一項に記載のパネルシステム。
条項１５
前記クリップが、前記スロットパネルの前記表面板の外装表面の後ろに収容される、条項１に記載のパネルシステム。
条項１６
前記タブパネルが少なくとも１つのスロットを含み、前記スロットパネルが少なくとも１つのタブを含み、前記スロットと前記タブとの間に対応するクリップを有する、条項１から１５のいずれか一項に記載のパネルシステム。
条項１７
各々が対向する表面板の間にコアを有する複数のパネルであって、前記パネルの各々がスロット又はタブの少なくとも１つを有するように構成された、複数のパネル、及び対応するパネルの間に配置され前記パネルを接合するように構成された複数のクリップであって、各々のクリップが、前記スロットを有する前記パネルの対応する表面板にしっかりと係合するように構成されたスロットパネル固定部材を有し、前記タブを有する前記パネルの対応する表面板としっかり係合するように構成されたタブパネル固定部材を有する、複数のクリップを備える、パネルシステムキット。
条項１８
前記クリップの各々が、前記パネルのうちの１つの中の対応するスロット内に受け入れられるように構成されたベース部分を有する、条項１７に記載のパネルシステムキット。
条項１９
前記タブパネル固定部材が、前記対応するパネルとスナップ留め可能に係合するように構成され、前記スロットパネル固定部材が、前記対応するパネルとスナップ留め可能に係合するように構成される、条項１７又は１８に記載のパネルシステムキット。
条項２０
前記スロットパネル固定部材が、前記対応するパネルの前記表面板と前記コアとの間に配置されるように構成される、条項１７から１９のいずれか一項に記載のパネルシステムキット。
条項２１
前記スロットパネル固定部材が前記表面板の後ろの前記スロットの中へ延伸し、前記表面板が前記スロットパネル固定部材を前記スロット内に捕えるように、前記クリップが、前記対応するパネル内に形成された前記対応するスロット内に受け入れられるように構成される、条項１７から２０のいずれか一項に記載のパネルシステムキット。
条項２２
前記クリップの各々が、前記対応するパネルの対応するタブを受け入れるように構成されたポケットを画定するベース部分を有する、条項１７から２１のいずれか一項に記載のパネルシステムキット。
条項２３
前記クリップの各々が、ベース部分及び前記ベース部分から延伸する脚部を有し、前記タブパネル固定部材が、前記脚部から延伸し、前記タブを有する前記対応するパネルと係合するように構成される、条項１７から２２のいずれか一項に記載のパネルシステムキット。
条項２４
前記クリップの各々がベース部分を備え、前記タブパネル固定部材が前記ベース部分から延伸して前記タブを有する前記対応するパネル内のチャネル内に受け入れられる突起部を備え、前記スロットパネル固定部材がラッチ解除位置とラッチ係合位置との間で撓み可能な前記ベース部分から延伸する撓み可能なタブを備え、前記クリップが前記スロットの中に挿入される際に前記撓み可能なタブが前記ラッチ解除位置へと撓み可能であり、前記撓み可能なタブが前記スロットを有する前記対応するパネルの前記表面板をクリアした後で前記撓み可能なタブが前記ラッチ係合位置へ撓み可能であり、前記撓み可能なタブが前記ラッチ係合位置において前記スロットを有する前記対応するパネルの前記表面板の内装表面と係合する、条項１７から２２のいずれか一項に記載のパネルシステムキット。
条項２５
パネルシステムを組み立てる方法であって、前記パネルシステムが、タブパネルであって、前記タブパネルから延伸する少なくとも１つのタブを有する、タブパネル、及び前記タブパネルの対応する前記タブを受け入れる少なくとも１つのスロットを有するスロットパネルを備え、前記タブパネル及び前記スロットパネルが、各々、コア及び前記コアと隣接する表面板を有し、前記パネルシステムが、タブパネル固定部材及びスロットパネル固定部材を有するクリップを更に含み、前記方法が、前記クリップを前記タブ近傍の前記タブパネル又は前記スロット近傍の前記スロットパネルに挿入すること、前記クリップが前記タブパネルの一部分と前記スロットパネルの一部分との間に配置されるように、前記タブを前記スロット内に挿入すること、及び前記スロットパネル固定部材を前記スロットパネルの前記表面板と前記スロットパネルの前記コアとの間に挿入することを含む、方法。
条項２６
前記タブパネル固定部材を前記タブパネル内に形成されたチャネル内に挿入し、前記クリップを前記タブパネルにしっかりと結合することを更に含む、条項２５に記載の方法。
条項２７
前記タブを前記スロット内に挿入することが、前記スロットパネル固定部材が前記スロットパネルの前記表面板の後ろに捕えられるように、前記スロットパネル固定部材を外向きに圧すことを含む、条項２５又は２６に記載の方法。
条項２８
前記スロットパネル固定部材を前記スロットパネルの前記表面板と前記スロットパネルの前記コアとの間に挿入することが、前記スロットパネル固定部材が前記スロットパネルの前記表面板の後ろに捕えられるように、前記クリップを前記スロットパネルの前記スロットの中へスナップ留め可能に挿入することを含む、条項２５から２７のいずれか一項に記載の方法。
条項２９
前記クリップを前記タブ近傍の前記タブパネル又は前記スロット近傍の前記スロットパネルに挿入することが、先ず、前記クリップを前記スロットパネルの前記スロットの中に挿入することを含み、前記タブを前記スロット内に挿入することが、前記タブパネル固定部材が前記タブパネルに固定されるまで前記クリップが前記スロット内に挿入された後で、前記タブを前記スロットの中へ挿入することを含む、条項２５から２８のいずれか一項に記載の方法。
【００４４】
上記の説明は、制限ではなく例示を意図するものであることを、理解されたい。例えば、上述の実施形態（及び／又はそれらの態様）は、互いに組み合わせて使用され得る。加えて、様々な実施形態の範囲から逸脱することなく、特定の状況または材料に適応させるために、様々な実施形態の教示に多数の改変を加え得る。本書で説明している寸法、材料の種類、様々な構成要素の配向、および、様々な構成要素の数と位置は、一定の実施形態のパラメータを画定することを意図しており、決して限定するものではなく、例示的な実施形態に過ぎない。多くの他の実施形態、および、特許請求の本質および範囲に含まれる改変は、上記の説明を読むことで、当業者にとっては自明となる。様々な実施形態の範囲は、添付の特許請求の範囲、並びに、かかる特許請求の範囲が認められる同等物の全範囲を参照して、決定されるべきである。添付の特許請求の範囲において、「含む（ｉｎｃｌｕｄｉｎｇ）」及び「そこにおいて（ｉｎ  ｗｈｉｃｈ）」という用語は、それぞれ、「備える（ｃｏｍｐｒｉｓｉｎｇ）」及び「そこで（ｗｈｅｒｅｉｎ）」という用語の明白な同義語として使用される。また、以下の特許請求の範囲では、「第１」「第２」および「第３」等の用語は単に符号として使用され、それらの対象物に数的要件を課すことを意図するものではない。更に、以下の特許請求の範囲の限定は、ミーンズ・プラス・ファンクション書式で記述されておらず、かかる特許請求の範囲の限定が、更なる構造のない機能の記述が後続する「のための手段（ｍｅａｎｓ  ｆｏｒ）」という言い回しを明示的に使用しない限り、米国特許法第１１２条、段落（ｆ）、３５に基づいて解釈されることを意図するものではない。
【図１】
0006679338.tif 000002
【図２】
0006679338.tif 000003
【図３】
0006679338.tif 000004
【図４】
0006679338.tif 000005
【図５】
0006679338.tif 000006
【図６】
0006679338.tif 000007
【図７】
0006679338.tif 000008
【図８】
0006679338.tif 000009
【図９】
0006679338.tif 000010
【図１０】
0006679338.tif 000011
【図１１】
0006679338.tif 000012
【図１２】
0006679338.tif 000013